(57)【要約】  本発明は、２つの外側の型締め盤（３１，３２）と、外側の型締め盤（３１，３２）間に配置され、機械長手方向軸線に対して直交して位置する回転軸線周りに回転可能な少なくとも１つの別の型支持体（２）とを備える射出成形機に関する。回転分配器（１２）であって、回転可能な部分と回転不能な部分とを有し、回転可能な部分が型支持体（２）の回転軸線に対して同軸的に位置し、回転不能な部分にライン（３７，３８，３９）が接続可能となった回転分配器（１２）を介して、型支持体（２）及び／又はこの型支持体（２）に取り付け可能な型半部（８）に媒体が供給可能になっている。本発明では、型半部（８）に連結可能な、射出成形機の運転時に型支持体（２）とともに連れ回るエンクロージャ（６）が、型半部のセンサ及び／又はアクチュエータの信号を処理する非中央の制御装置として設けられている。連れ回るエンクロージャ（６）から射出成形機の中央の制御装置（４０）に至るバス接続（３８，３９）を介して、連れ回るエンクロージャ（６）内に設けられた制御ボード（１９）とのデータ交換が実施可能である。
2013538708.tif 000002
【特許請求の範囲】
【請求項１】
２つの外側の型締め盤（３１，３２）と、
前記外側の型締め盤（３１，３２）間に配置され、機械長手方向軸線に対して直交して位置する回転軸線周りに回転可能な少なくとも１つの別の型支持体（２）と、
を備え、前記型支持体（２）及び／又は該型支持体（２）に取り付け可能な型半部（８）に媒体を供給するために、回転分配器（１２）が設けられていて、該回転分配器（１２）は、回転可能な部分と回転不能な部分とを有し、前記回転可能な部分は、前記型支持体（２）の回転軸線に対して同軸的に位置し、前記回転不能な部分には、ライン（３７，３８，３９）が接続可能となっており、かつ
中央の制御装置（４０）を備える
射出成形機において、
前記型支持体（２）及び／又は該型支持体（２）に取り付け可能な型半部（８）に連結可能な、前記射出成形機の運転時に前記型支持体（２）とともに連れ回るエンクロージャ（６）を備え、該エンクロージャ（６）内には、センサ及び／又はアクチュエータの信号を処理し、信号をセンサ及び／又はアクチュエータに送信する制御ボード（１９）が設けられており、かつ前記連れ回るエンクロージャ（６）から前記射出成形機の中央の制御装置（４０）に至る少なくとも１つのバス接続（３８，３９）が設けられており、該バス接続（３８，３９）を介してデータ交換が、前記射出成形機の中央の制御装置（４０）と、前記連れ回るエンクロージャ（６）内に設けられた制御ボード（１９）との間で行われることを特徴とする、射出成形機。
【請求項２】
前記連れ回るエンクロージャ（６）内には、デジタルの入・出力及び／又はアナログの入・出力のための入・出力ボードが設けられている、請求項１記載の射出成形機。
【請求項３】
前記連れ回るエンクロージャ（６）内には、弁又はこれに類するものを操作する電気的な作動素子が設けられている、請求項１又は２記載の射出成形機。
【請求項４】
前記連れ回るエンクロージャ（６）内には、閉ループ制御される電源回路部品（２１）及び／若しくは閉ループ制御されない電源回路部品（２１）並びに／又は供給電圧及び信号電圧に関する保安装置（２２）が設けられている、請求項１から３までのいずれか１項記載の射出成形機。
【請求項５】
前記連れ回るエンクロージャ（６）は、複数のカップリングインターフェースを有する手動のマルチカップリング（２０）及び／又は自動のマルチカップリング（１０′）を有し、かつ前記型支持体（２）及び／又は該型支持体（２）に固定される型半部（８）には、前記エンクロージャ（６）に設けられたマルチカップリングのカップリングインターフェースと係合可能なカップリングインターフェースが設けられている、請求項１から４までのいずれか１項記載の射出成形機。
【請求項６】
電圧源（Ｖ）から提供される電力を処理し、単数又は複数の供給ライン（３７）を介して前記回転分配器（１２）に導く、別体の中央の供給エンクロージャ（３６）を備える、請求項１から５までのいずれか１項記載の射出成形機。
【請求項７】
前記連れ回るエンクロージャ（６）と前記中央の制御装置（４０）との間の前記バス接続（３８，３９）は、スリップリングにより前記回転分配器（１２）を介してか、又はケーブルレスに、例えば無線又はＢｌｕｅｔｏｏｔｈを介して形成されている、請求項１から６までのいずれか１項記載の射出成形機。
【請求項８】
前記供給電圧は、前記回転分配器（１２）の高性能スリップリングを介して前記連れ回るエンクロージャ（６）に導かれ、該連れ回るエンクロージャ（６）から、前記型半部内かつ／又は前記型支持体上に設けられた消費器へと分配されている、請求項１から７までのいずれか１項記載の射出成形機。
【請求項９】
前記エンクロージャ（６）を前記中央の型支持体（２）に向かって、かつ該型支持体（２）から離間する方向に移動可能とする単数又は複数のリニア駆動装置（７ａ，７ｂ）を備える、請求項１から８までのいずれか１項記載の射出成形機。
【請求項１０】
複数の回転可能な型支持体（２）が前記外側の型締め盤（３１，３２）間に設けられており、各々の回転可能な型支持体（２）のために、それぞれ１つの連れ回るエンクロージャ（６）とそれぞれ１つの回転分配器（１２）とが設けられており、かつ前記中央の制御装置（４０）は、単数又は複数のバス接続を介して前記エンクロージャ（６）に接続されている、請求項１から９までのいずれか１項記載の射出成形機。
【発明の詳細な説明】
【技術分野】
【０００１】
本発明は、請求項１の前提部に記載の射出成形機に関する。
【０００２】
この種の射出成形機は、従来技術において種々異なる形態で知られている。外側の型締め盤間には、単数又は複数の回転可能な型支持体が設けられている（ドイツ連邦共和国特許出願公開第１０２００５０１６２３９号明細書、欧州特許第１１５５８０２号明細書、国際公開第２００５／０７７６３７号パンフレット）。公知の射出成形機の場合、回転可能な型支持体の各々には、それぞれ１つの回転分配器（Ｄｒｅｈｖｅｒｔｅｉｌｅｒ）が配設されている。回転分配器を介して、型に媒体、例えば水、油圧作動油、又は電気エネルギが供給可能である。場合によっては、対向する２つの回転分配器が１つの型支持体に設けられてもよい。さらに、適当なインターフェースを介して、型支持体に接して若しくは型支持体内に、又は型半部に接して若しくは型半部内に設けられたセンサ及びアクチュエータと、射出成形機の中央の制御装置との間での信号交換又はデータ交換が実施可能である。型支持体あるいは型半部の複雑性次第で、多数のアクチュエータ及びセンサが存在する場合がある。この場合、型半部から回転分配器を介して中央の制御装置に至る手間のかかる配線が必要である。これにより、ケーブル断線の危険が高まる。さらに、測定値の誤謬が起こる場合がある。
【０００３】
さらに、データ及び信号を伝送するためにバスシステムが使用される射出成形機が公知である（ドイツ連邦共和国特許第１９９５８７９０号明細書、ドイツ連邦共和国特許第１０３０２８７８号明細書）。
【０００４】
冒頭で述べた従来技術から出発して、本発明の根底にある課題は、請求項１の前提部に記載された形態の射出成形機を、多数のセンサ及びアクチュエータを装備している型半部を有する複雑な型工具を使用するのに特に適しているように改良することである。
【０００５】
この課題は、請求項１の特徴部に記載された特徴を有する射出成形機によって解決される。好ましい態様及び形態は、従属請求項に係る発明である。
【０００６】
型支持体及び／又はこの型支持体に取り付け可能な型あるいは型半部に連結可能な、射出成形機の運転時に型支持体とともに連れ回るエンクロージャを備え、このエンクロージャ内には、センサ及び／又はアクチュエータの信号を処理し、信号をセンサ及び／又はアクチュエータに送信する制御ボードが設けられており、かつ連れ回るエンクロージャから射出成形機の中央の制御装置に至る少なくとも１つのバス接続が設けられており、バス接続を介してデータ交換が、射出成形機の中央の制御装置と、連れ回るエンクロージャ内に設けられた制御ボードとの間で行われることにより、配線の手間は明らかに軽減される。信号の処理は、非中央において、あるいは集中させずに分散されて、直接型支持体において、連れ回るエンクロージャ内あるいはこのエンクロージャ内に格納された制御ボード内で実施される。このことから、信号伝送経路の短縮あるいはデータ伝送経路の短縮及び中継インターフェースの減少に基づいて、より良好な制御品質も生じ、かつより狭い測定値公差の設定も可能である。射出成形機の装備数、特に型工具の装備数に応じて、コストの明確な減少も生じ得る。
【０００７】
本発明における開ループ制御及び閉ループ制御の分散制御技術の別の態様において、連れ回るエンクロージャ内に、型あるいは型半部及び／又は型支持体を運転するための別の電気的な素子及び／又は電子的な素子が格納されていてよい。これは、例えばデジタルの入・出力及び／又はアナログの入・出力のための入・出力ボードであってよい。さらに、弁、コアプラー又はこれに類するものを操作する電気的な作動素子が設けられていてもよい。さらに、連れ回るエンクロージャ内には、閉ループ制御される電源回路部品（ｇｅｒｅｇｅｌｔｅｒ  Ｎｅｔｚｔｅｉｌ）及び／若しくは閉ループ制御されない電源回路部品（ｕｎｇｅｒｅｇｅｌｔｅｒ  Ｎｅｔｚｔｅｉｌ）並びに／又は供給電圧及び信号電圧のための保安装置が設けられていてよい。
【０００８】
電気エネルギ（供給電圧、信号電圧）及び／又は電気信号あるいはデータの交換は、好ましくは複数のカップリングインターフェースを備える手動のマルチカップリング及び／又は自動のマルチカップリングを介して実施可能である。型支持体及び／又はこの型支持体に固定される型半部には、エンクロージャに設けられたマルチカップリングのカップリングインターフェースに係合可能なカップリングインターフェースが設けられている。
【０００９】
射出成形機の電気を消費する消費器（Ｖｅｒｂｒａｕｃｈｅｒ）あるいは電気的な負荷への給電のために、一般的には、電圧源に接続されている中央の供給エンクロージャが存在する。それゆえ、回転する型半部内又は回転する型支持体上に存在する消費器には、この中央の供給エンクロージャから電気エネルギが供給可能である。このために、電圧源Ｖから提供される電圧あるいは電気エネルギは、中央の供給エンクロージャ内で場合によっては処理されて、単数又は複数の供給ラインを介して回転分配器に導入可能である。供給電圧は、回転分配器の高性能スリップリングを介して回転分配器の回転可能な部分に、そしてこの回転可能な部分からさらに、連れ回るエンクロージャに導入可能である。このエンクロージャから、型半部内かつ／又は型支持体上に設けられた消費器への分配が実施可能である。
【００１０】
中央のエンクロージャあるいはこのエンクロージャ内の制御ボードと、中央の制御装置との間のデータ交換のために、単数又は複数のバス接続が設けられていてよい。バス接続は、スリップリングにより回転分配器を介してか、又はケーブルレスに、例えば無線又はＢｌｕｅｔｏｏｔｈを介して形成されていてよい。
【００１１】
好ましくは、エンクロージャを中央の型支持体に向かって、かつ型支持体から離間する方向に移動可能とする単数又は複数のリニア駆動装置が設けられていてよい。このことは、特に、回転分配器が射出成形機のコラム間の横桁に取り付けられると、有利である。エンクロージャは、型半部と連結されている運転位置において、横桁の下を通過可能である。引き戻された位置で、メンテナンス作業及びインストール作業が実施可能である。それゆえ、この位置をメンテナンス位置とも言う。
【００１２】
射出成形機の態様次第では、複数の回転可能な型支持体が外側の型締め盤間に設けられていてよい。この場合、各々の回転可能な型支持体のために、それぞれ１つの連れ回るエンクロージャとそれぞれ１つの回転分配器とが設けられている。中央の制御装置は、単数又は複数のバス接続及び回転分配器を介して複数のエンクロージャに接続されている。
【００１３】
以下に、本発明について一実施の形態を基に図１乃至図６を参照しながら詳細に説明する。
【図面の簡単な説明】
【００１４】
【図１】反転盤式射出成形機の一部の概略図である。
【図２】回転分配器の側面図である。
【図３】回転分配器の斜視図である。
【図４】エンクロージャの斜視図である。
【図５】エンクロージャの改変された実施の形態を示す図である。
【図６】射出成形機の概略図である。
【００１５】
図１は、２つの外側の型締め盤と、１つの中央の回転可能な型支持体とを備えるそれ自体は公知の反転盤式射出成形機（Ｗｅｎｄｅｐｌａｔｔｅｎ‐Ｓｐｒｉｔｚｇｉｅｓｓｍａｓｃｈｉｎｅ）の一部の概略図である。反転盤式射出成形機は、例えばドイツ連邦共和国特許出願公開第１０２００５０１６２３９号明細書に記載されており、本願の図６に概略的に図示されている。図１では不可視の外側の型締め盤の間を、閉鎖力を受容あるいは伝達する４つのコラムが延びており、これらのコラムのうち、両上のコラム１ａ，１ｂの一部のみが図示されている。中央の型支持体２は、機械ベッドに回転可能に支承されたターンテーブル上に取り付けられている。このことは、例えば上述のドイツ連邦共和国特許出願公開第１０２００５０１６２３９号明細書に図示され、記載されている（図６も参照）。中央の型支持体２は、本実施の形態では、型あるいは型半部を取り付ける２つの型締め面を有する「反転盤（Ｗｅｎｄｅｐｌａｔｔｅ）」２として形成されている。しかし、型支持体２は、サイコロ状又はプリズム状に、２つより多くの型締め面を有して形成されていてもよい。反転盤２の両側には、型半部が取り付けられている。型半部のうち、図１には、手前の型半部８のみが可視である。これらの型半部は、運転中、プラスチック成形品のための適当なキャビティを形成するために、外側の型締め盤に設けられた対応する型半部と組み合わせ可能である。反転盤２の上側には、コラム１ａとコラム１ｂとの間に、横桁３が配置されている。横桁３の端部は、それぞれ、中間部材４を介して滑動ブシュ５に固定されている。横桁３は、適当なリニア駆動装置９ａ，９ｂによりコラム１ａ，１ｂに沿って移動可能である。前側のエンクロージャ部分６ａと後側のエンクロージャ部分６ｂとを有するエンクロージャ６は、２つのリニア駆動装置７ａ，７ｂにより、図１に示した上側の位置（メンテナンス位置）から下方に運転位置へ、そして再び逆向きに移動可能である。運転位置において、エンクロージャ６の下面に存在する自動のマルチカップリングは、型半部８に設けられた対応する自動のマルチカップリング１０と係合あるいは連結されている。さらにエンクロージャ６は、運転位置において、自由に横桁３の下を通過できる程度に下降させられている。反転盤２の回転時、エンクロージャ６は連れ回る、つまり反転盤２の回転にともなって回転する。横桁３の上側には、回転分配器の回転不能な外側の部分がハウジング１１内にある一方、回転分配器の回転可能な内側の部分は、下方に、外側の部分あるいはハウジング１１から突出して、端子を有している。端子から電気的なラインがエンクロージャ６に向かってかつエンクロージャ６内へと延びている。回転分配器の回転不能な部分と中央の制御装置との間のデータ伝送のための接続ライン及び回転分配器の回転不能な部分と別のエンクロージャ、すなわち中央の供給エンクロージャとの間の中央からの電圧あるいは電気エネルギの供給のための接続ラインは、図示していない。
【００１６】
エンクロージャ及び回転分配器のさらなる詳細については、以下に図２乃至図５を参照しながら説明する。電気的な回転分配器１２は、図２に側面図で示してあり、図３に斜視図で、厳密に言えば斜め下から見た斜視図で示してある。ハウジング１１は、下側のサイコロ状のハウジング部分１１ａと、上側の円柱状のハウジング部分１１ｂとを有している。複数の端子１３．１〜１３．７が存在し、これらの端子１３．１〜１３．７には、所望の使用目的のためのケーブルが接続可能である。割り当ては、例えば以下の通りである：
１３．１＝供給電圧４００Ｖ；
１３．２＝信号電圧２４Ｖ；
１３．３＝第１のＶａｒａｎケーブル（第１のＶａｒａｎバス）；
１３．４＝第２のＶａｒａｎケーブル（第２のＶａｒａｎバス）；
１３．５＝第１のＣＡＮバス；
１３．６＝第２のＣＡＮバス；
１３．７＝今後の用途のための予備
スリップリング伝送器によって、電気的な回転分配器１２の、本図においては不可視の回転不能な部分と回転可能な部分１４との間で、電気的な接続が形成可能である。回転可能な部分１４は、ハウジング１１の下面から一部導出されており、複数の端子１５を有している。これらの端子１５から、電気エネルギ若しくは供給電圧又は信号電圧を伝送するケーブルあるいはラインと、データ又は信号を伝送するケーブルあるいはラインとが、エンクロージャ６に向かって延びている。
【００１７】
図４は、図１に示したエンクロージャ６の斜視図であって、厳密に言えばハウジング壁を取り外した状態で斜め下から見た斜視図である。そのため、エンクロージャ６の少なくとも右前部の内側が看取可能である。つまり、エンクロージャ６は、第１の前側のエンクロージャ部分６ａと第２の後側のエンクロージャ部分６ｂに分割可能である。これらの部分６ａ，６ｂの各々に、それぞれ１つの型半部８が割り当てられている。支持板１６を介して互いに結合されている２つのエンクロージャ６ａ，６ｂが設けられているとも言える。支持板１６の中央に設けられた穴に、センタリングピン１７が通されており、このセンタリングピン１７によって、型半部に関するエンクロージャ６ａ，６ｂの正確な位置決めが可能である。エンクロージャ６ａ，６ｂの各々は、その下面に自動のマルチカップリング１０′を有している。マルチカップリング１０′は、運転位置において、型半部８に設けられた対応する自動のマルチカップリング１０と係合あるいは連結されている。この種のマルチカップリング自体は、従来技術において公知であり、それゆえ本明細書で詳細に説明する必要はない。エンクロージャ６ａ，６ｂの内部には、一連の、開ループ制御及び閉ループ制御を行う制御ボード並びに別の電気的及び電子的な要素が配置されている。
【００１８】
図５は、本発明における連れ回るエンクロージャ６の改変された実施の形態を、ハウジング壁１８をフラップ式に開放した状態で示す図である。エンクロージャ６の内部には、制御ボードを収容かつ固定する複数の収容装置１９（本実施の形態では６つ）が存在している。例えば以下のボードが収容装置１９に格納可能である：
‐温度制御ボード（例えば温度センサ及び加熱素子用）；
‐パワーエレクトロニクスボード（例えば型半部のヒータの閉ループ制御及び開ループ制御用）；
‐デジタルの入・出力を有するボード；
‐アナログの入・出力を有するボード；
‐チャージアンプを有するボード（例えば工具内圧用）。
【００１９】
自動のマルチカップリング１０′の他に、手動のマルチカップリング２０が設けられていてもよい。さらに制御変圧器２１、例えば閉ループ制御される電源回路部品及び／又は閉ループ制御されない電源回路部品、及び保安装置２２、例えば供給電圧に関して保護を行う保安装置が存在する。供給電圧は、ハイボルト（４００Ｖ、２３０Ｖ）及びローボルト（２４Ｖ）の電圧であってよい。これは、直流電圧（ＤＣ）又は交流電圧（ＡＣ）であってよい。概略的に図示した電気的な回転分配器１２も、自動又は手動のマルチカップリング２３を有していてよい。電気的な回転分配器１２は、例えば電力供給、種々異なるバスインターフェース、安全に関する信号の伝送あるいは供給のために役立つ。マルチカップリング２３を介して、上述の電気的な要素は、回転分配器１２に供給可能であり、かつ必要であれば導出可能である。導出は、特にエンクロージャ６と射出成形機の中央の制御装置との間での信号及びデータの伝送に該当する。中央の制御装置のＣＰＵあるいはデータ処理装置内では、データのさらなる処理が実施可能である。しかし、中央の制御装置のＣＰＵは、第１にエンクロージャ６内の制御ボードを統括するために役立つ。これにより、エンクロージャ６は、型半部に接して又は型半部内に設けられたセンサ及びアクチュエータの運転を開ループ制御及び閉ループ制御する、反転盤あるいは回転可能な型支持体とともに回転する非中央あるいは分散型の制御装置を形成している。センサにより出された信号の処理は、連れ回るエンクロージャ内で実施され、通常のように射出成形機の中央の制御装置内では行われない。しかし、中央の制御装置内では、さらにプロセスデータの可視化並びにエンクロージャ６内の制御ボードのためのプリセット値としての目標値及び実際値の入力がなされる。さらに、中央の制御装置内では、射出成形機のその他の部分の別の運転パラメータの入力がなされる。中央の制御装置と非中央のエンクロージャとの間で、データ交換が実施される。例えば、エンクロージャ６内では、コアプラーシステムのすべてのコアが進入したか否か、又はいつ進入したかが把握され、この情報は、バスシステムを介して中央の制御装置に転送可能である。非中央の連れ回る制御装置の管理は、射出成形機の中央の制御装置の代わりに、例えば複数の射出成形機が接続されているより上位の制御システムによって実施されてもよい。これにより、この上位の制御システムは、本明細書において説明する形態の複数の非中央の制御装置とデータを交換し合う関係にある。
【００２０】
図６を参照しながら、反転盤２に設けられた連れ回る非中央の制御装置６と、中央の制御装置及び中央の供給エンクロージャとの間の接続について説明する。図６は、ドイツ連邦共和国特許出願公開第１０２００５０１６２３９号明細書に開示される形態の、工場のホールの床Ｂに設置された射出成形機を概略的に示している。機械ベッド３０には、１つの固定の型締め盤３１、１つの可動の型締め盤３２及び２つの可塑化兼射出ユニット３３，３４が支持されている。両外の型締め盤の間には、長手方向で移動可能なターンテーブル３５上に、反転盤２が固定されている。見やすくするために、コラムと、上側のコラム間に設けられた横桁とは省略されている。反転盤２には、型半部８が固定されている。型半部８は、外側の型締め盤に設けられた対応する型半部８′と組み合わせ可能である。反転盤２の上側には、エンクロージャ６あるいは非中央の制御装置６及び回転分配器１２が存在する。機械ベッド３０の下又は中に、中央の供給エンクロージャ３６が設けられている。中央の供給エンクロージャ３６は、電圧源Ｖに接続されている。電圧源Ｖからは供給ライン３７が回転分配器１２に通じている。回転分配器１２から、供給電圧は、上述したようにエンクロージャ６に達し、さらに型半部８内にかつ／又は反転盤２に接して設けられた消費器あるいは負荷に達する。もちろん、例えば可塑化兼射出ユニット３３，３４の電気的な駆動装置又は電気的な加熱帯材等のその他の消費器のための別の供給ラインも存在する。別のライン３８，３９により、エンクロージャ６、あるいはこのエンクロージャ６内に存在する制御ボードが、中央の制御装置４０に接続されている。この中央の制御装置４０は、少なくとも１つの中央のプロセッサ（ＣＰＵ）を有するデータ処理装置４１と、表示部４２ａ及び操作部４２ｂを有する入出力装置４２とを有している。データ処理装置４１は、双方向性のデータライン４３により入出力装置４２に接続可能である。ライン３９を介して、例えばデータ及び指令がエンクロージャ６内の制御ボードに伝送される。ライン３８を介して、逆方向で、制御ボードのデータ及び信号が、中央の制御装置４０に伝送可能である。もちろん、別のライン（例えば５０，５１）も存在する。これらの別のラインは、運転中に回転されず、ひいては回転分配器１２を介して中央の制御装置４０に接続される必要のないセンサ及びアクチュエータに接続されている。
【符号の説明】
【００２１】
１ａ，１ｂ  上側のコラム
２  反転盤
３  横桁
４  中間部材
５  滑動ブシュ
６  非中央のエンクロージャ
６ａ  前側のエンクロージャ部分
６ｂ  後側のエンクロージャ部分
７ａ，７ｂ  エンクロージャ用のリニア駆動装置
８，８′  型半部
９ａ，９ｂ  横桁用のリニア駆動装置
１０  型半部に設けられたマルチカップリング
１０′  エンクロージャに設けられたマルチカップリング
１１  回転分配器のハウジング
１１ａ  下側のハウジング部分
１１ｂ  上側のハウジング部分
１２  回転分配器
１３．１〜１３．７  電気的な接続箇所
１４  回転分配器の回転可能な部分
１５  電気的な接続箇所
１６  支持板
１７  センタリングピン
１８  ハウジング壁
１９  制御ボード用の収容装置
２０  手動のマルチカップリング
２１  制御変圧器
２２  電気的な保安装置
２３  マルチカップリング
３０  機械ベッド
３１  固定の型締め盤
３２  可動の型締め盤
３３  第１の可塑化兼射出ユニット
３４  第２の可塑化兼射出ユニット
３５  ターンテーブル
３６  中央の供給エンクロージャ
３７  供給ライン
３８  第１のデータライン
３９  第２のデータライン
４０  中央の制御装置
４１  データ処理装置
４２  入出力装置
４２ａ  表示部
４２ｂ  操作部
４３  双方向性のデータライン
５０，５１  別のデータライン
Ｂ  床
Ｖ  供給電圧源
【図１】
2013538708.tif 000003
【図２】
2013538708.tif 000004
【図３】
2013538708.tif 000005
【図４】
2013538708.tif 000006
【図５】
2013538708.tif 000007
【図６】
2013538708.tif 000008
【国際調査報告】
2013538708.tif 000009
2013538708.tif 000010
2013538708.tif 000011
2013538708.tif 000012